(57)【要約】【課題】機能性材料を内部に収納する包装形態において、接着剤を不用にする。【解決手段】この包装形態は、バリアー性の第２の袋体２２０の中に、ポケット１００を含むシート状の支持体１０と、ポケット１００に収納した、機能性材料入りの第１の袋体２１０とを密閉状態に収納する形態である。この考案では、シート状であるという支持体１０の特性を利用し、支持体１０自体に、機能性材料が入った第１の袋体２１０を収納する空間領域となるポケット１００を区画する。【選択図】図１
0003207925.tif 000002
【実用新案登録請求の範囲】
【請求項１】
気化することにより、消臭、除菌、防虫、乾燥などの清浄化あるいは快適化のためのいずれかの機能を果たす機能性材料と、その機能性材料を内部に収納し、その機能性材料からの気化成分を外部に拡散可能な第１の袋体と、その第１の袋体を支持するための支持体と、前記気化成分に対してバリアー性をもち、それら支持体、第１の袋体および機能性材料を全体的に収納する第２の袋体とを備え、
前記支持体は、シート状の材料製であり、折込み、差込みあるいはそれらの組合せによって、前記第１の袋体を収納する空間を区画しており、それにより、第１の袋体を支持するために接着剤を不用としたことを特徴とする、包装形態。
【請求項２】
前記第２の袋体の中において、前記機能性材料は前記第１の袋体の中にあり、しかも、その第１の袋体は、前記支持体が区画する前記空間の中に位置する、請求項１の包装形態。
【請求項３】
前記支持体は、一方向に折る第１の折り曲げ線と、その第１の折り曲げ線と平行であり、その第１の折り曲げ線とは反対の方向に折る第２の折り曲げ線とを含む、請求項１の包装形態。
【請求項４】
前記第２の折り曲げ線に沿って折った小片によって、前記支持体が区画する前記空間の容積は、前記小片がない場合に比べて拡がっている、請求項３の包装形態。
【請求項５】
前記支持体のシート状の材料は、紙あるいはプラスチックのいずれかである、請求項１の包装形態。
【考案の詳細な説明】
【技術分野】
【０００１】
この考案は、気化することにより、消臭、除菌、防虫、乾燥などの清浄化あるいは快適化のためのいずれかの機能を果たす機能性材料を内部に収納する包装形態に関し、特には、機能性材料を収納する第１の袋体と、その第１の袋体を支持するための支持体とを、機能性材料からの気化成分に対してバリアー性のある第２の袋体にまとめて収納するタイプの包装形態に関する。
【背景技術】
【０００２】
この種の機能性材料からの気化成分を利用し、前記した清浄化や快適化を図る製品として、トイレや押入れなどのように、比較的に大きな容積をもつ空間を対象にするものと、靴やバッグなどのように、小さな空間を対象にするものとがある。それらのいずれにあっても、使用前における製品の包装形態には注意が必要である。なぜなら、気化成分を含む機能性材料を何らかの形で密閉状態にすることが必要であるからである。
【０００３】
たとえば、防虫剤容器に関する特許文献１では、防虫剤（２）が入った内袋（６）をバリアー性のカバー（８）によって被覆し、防虫剤（２）からの気化成分の拡散を防ぐようにしている。すなわち、特許文献１は、防虫剤（２）が入った内袋（６）を選択的にカバーするという考え方を示す。また、芳香剤、防虫剤、消臭剤などの拡散調節機能付き袋に関する特許文献２では、バリアー性の外袋によって、全体を被覆するという考え方を示している。なお、これらの特許文献１や２は、比較的に大きな容積をもつ空間を対象にした技術を示す。
【０００４】
それに対し、小さな空間を対象にしたものとして、この出願人が先に提案した特許文献３がある。特許文献３は、機能性材料を含む靴用挿入具であり、機能性材料を入れた袋をシート状の本体に支持させている。この靴用挿入具では、使い勝手を考慮して、シート状の本体と、その本体に支持した機能性材料入りの袋とをバリアー性の外袋にまとめて収納する包装形態を採る。
【先行技術文献】
【特許文献】
【０００５】
【特許文献１】特開２００３−１８９７７８号公報
【特許文献２】特開平６−９９９９１号公報
【特許文献３】実用新案登録第３２０２１３１号公報
【考案の概要】
【考案が解決しようとする課題】
【０００６】
対象にする空間が靴のような小さな空間であろうと、トイレや押入れのような比較的に大きな空間であろうと、機能性材料を通気性の袋（第１の袋体）に入れ、その袋をシート状の支持体に支持させ、それらの支持体、袋および機能性材料を全体的にあるいはまとめてバリアー性の外袋（第２の袋体）に入れる形態は、使用者の使い勝手の点からすれば好ましい。
【０００７】
その形態を採るとき、機能性材料を入れた第１の袋体は、通例、接着剤によってシート状の支持体に接着する。ところが、製品化のための実験を繰り返し行ったところ、密閉された第２の袋体の中において、機能性材料から出る気化成分が支持のための接着剤を劣化させるおそれがあることが判明した。
【０００８】
このような接着剤の劣化の問題を解決する一般的な方法として、気化成分に対して大きな耐性をもつ接着剤を見出し、その見出した接着剤を用いることが考えられる。しかし、機能性材料に対し、清浄化や快適化のための高い機能を求めようとすればするほど、用いる接着剤はより大きな耐性をもつことが必要である。そのため、適切な接着剤を得ることが困難である。
【０００９】
そこで、この考案では、機能性材料やそれを支持する支持体をバリアー性の第２の袋体の中にまとめて収納する包装形態でありながら、接着剤を不用とした技術を提供することを目的とする。
【００１０】
また、この考案は、支持体を構成するシート状の材料の特性を生かしつつ、機能性材料からの気化成分の通り道を有効に確保することができる包装形態を提供することを他の目的とする。この考案のその他の目的については、今後の説明から明らかになるであろう。
【課題を解決するための手段】
【００１１】
この考案では、機能性材料が入った第１の袋体を、接着剤によって支持体に接着し支持する形態ではなく、シート状であるという支持体の特性を利用し、支持体自体に、機能性材料が入った第１の袋体を収納する空間あるいは領域を区画する。そして、その区画した空間に第１の袋体を収納して支持する形態にすることにより、結果的に今までのような接着剤を不用にする。
【００１２】
シート状の材料としては、紙あるいはプラスチックが好適であり、それを単層で用いることもできるし、２層あるいは３層の積層形態で用いることもできる。そのようなシート状の材料は、折ることにより、あるいはスリットにシート端を差し込むことにより、または、折りおよび差込みを組み合わせることにより、空間を区画する構造を得ることができる。しかも、シート状の材料は、折りなどにより変形させるとき、変形した部分が元に戻ろうとする弾性作用力を生じる。変形した折れ片が、弾性作用力を生じることから、折れ片の先を、空間を区画するシート状の材料の別の部分に当てることにより、支持体が区画する空間の容積を、折れ片あるいは折った小片がない場合に比べて、拡げることができる。また、折った小片を機能性材料が入った第１の袋体に当てるようにし、区画した空間の中において、機能性材料が入った第１の袋体と空間を区画する支持体の部分との間に適度な隙間を作ることができる。前者における拡大した空間に伴う余分な隙間、そしてまた、後者における隙間は、機能性材料から出る気化成分の通り道となり、気化成分を外部に有効に拡散させることができる。
【００１３】
使用者にとって最も使いやすいものは、バリアー性の外側の第２の袋体の中において、機能性材料が内側の第１の袋体の中にあり、しかも、その第１の袋体は、支持体が区画する空間の中に位置する形態である。その形態によれば、使用者は、外側の第２の袋体を開けることにより、機能性材料に触れることなく支持体を第２の袋体から取り出すことができ、そのまま所望の使用を行うことができる。
【図面の簡単な説明】
【００１４】
【図１】この考案の包装形態の一実施例であり、一部を切り欠いて示す模式図である。
【図２】この考案の包装形態における支持体の一実施例を示す展開図である。
【図３】図２の支持体にポケット型の空間を形成する一例を示す部分的な斜視図である。
【考案を実施するための形態】
【００１５】
この考案による典型的な包装形態は、図１に示すように、紙あるいはプラスチックなどのシート状の材料製であり、一部にポケット１００を含む支持体１０と、その支持体１０のポケット１００の中に収納した、機能性材料入りの第１の袋体２１０とを内容物とし、それらの内容物をアルミニウムなどのバリアー性の第２の袋体２２０の中に密閉状態に収納する形態である。第２の袋体２２０としては、３方シールあるいは４方シールの一般的な袋を用いることができる。
【００１６】
用いる機能性材料は、清浄化あるいは快適化の具体的な目的に応じて、適切な材料を選択することができる。それらの各材料は、一般によく知られたものである。たとえば、靴の消臭などに用いる機能性材料として、徐効性にすぐれた、顆粒状二酸化塩素ガス発生剤（株式会社大阪ソーダ製）を挙げることができる。その場合に用いる第１の袋体２１０は、不織布製の袋である。
【００１７】
ここで、シート状の支持体１０は、自らの形を保持することができる厚さをもつことが必要である。それにより、第１の袋体２１０をポケット１００内に支持した、シート状の支持体１０の一端を持ちながら、機能性材料が入った第１の袋体２１０の部分を、快適化あるいは清浄化をするための靴の中に入れることができる。たとえば、短靴の場合には、一対の支持体１０を一体のまま左右の靴に対応させることができる。また、ブーツのような底の深い靴の場合には、一対の支持体１０を二つに切り離し可能とし（後で述べる線分１１０の部分をミシン線とし、切り離し可能にすることなどができる。）、たとえば、支持体１０の一方の端に紐を付けることにより、第１の袋体２１０を支持する支持体１０をつり下げるような形態にすることができる。紐を付ける際、その紐の長さを調節し、妥当な長さに保持できるような紐止め機能をもつ保持具を付属させることもできる。
【００１８】
次に、図２および図３を参照しながら、シート状の支持体１０の一例、およびポケット１００の作り方について説明しよう。支持体１０は、所定の形に裁断あるいは型抜きを行ったシートである。靴用の支持体１０は、中心部の線分１１０に対して左右対称的な構成である。支持体１０は、線分１１０に近い部分が頂部であり、その頂部から離れた側にポケット１００を構成するための構成要素がある。
【００１９】
図１の展開図を見ると、シート状の支持体１０の本体１２の中には、実線で示す切り込み部と、破線で示す折り曲げ部とがある。中心部の線分１１０は折り曲げ部であり、それに近い丸孔１１２ａ、線分１１０から離れた位置にある斜めの細長い孔１１２ｂ、およびその斜めの細長い孔１１２ｂよりもさらに遠い位置にある別の細長い孔１１２ｃは、すべて切断し抜いた孔である。また、斜めの細長い孔１１２ｂのある本体１２の両側には、折り曲げ線１１３を挟んで長方形の片１２２がそれぞれ突き出ている。そして、各片１２２には、実線で示す切り込み部１１４ａ，１１４ｂおよび破線で示す折り曲げ部１１４ｃにより、付加的な折り曲げ小片１２２０が構成されている。なお、細長い孔１１２ｂ，１１２ｃについては、他方のシート状の支持体１０に示すように、完全な抜き孔とせずに、起立片の構成にすることもできる。そうすれば、起立片の起立の度合いを変えることにより、機能性材料から出る気化成分の外部への拡散の大きさをコントロールすることもできる。また、拡散の大きさをコントロールするため、シート状の支持部材１０に、たとえばミシン線によりコントロール用の孔を複数設け、開ける孔数を変えることにより拡散の大きさをコントロールすることもできる。
【００２０】
さらに、シート状の支持体１０の本体１２には、ポケット１００を区画するため、斜めの細長い孔１１２ｂのある部分に相当する大きさのシート部分１２４がある。シート部分１２４は、斜めの細長い孔１１２ｂのある部分との間に折り曲げ線１１６ａを挟み、しかもまた、その折り曲げ線１１６ａに対向する側に、別の折り曲げ線１１６ｂを挟んで台形の片１２６が突き出ている。そして、台形の片１２６には、折り曲げ線１１６ａに平行する別の折り曲げ線１１６ｃが付加的に設けられている。
【００２１】
さて、このようなシート状の支持体１０を用いることにより、ポケット１００は、折り込みあるいは折る操作を繰り返すことにより形作ることができる。図３に示すように、斜めの細長い孔１１２ｂがある本体１２の両側の片１２２を、折り曲げ線１１３に沿って矢印Ｆのように本体１２上に折り曲げる。そしてまた、その折り曲げの前後いずれかに折り曲げ線１１４ｃに沿って小片１２２０を矢印Ｒのように反対方向に折り曲げる。
【００２２】
片１２２の部分の折り曲げを行った後、折り曲げた片１２２上に、別の細長い孔１１２ｃのあるシート部分１２４を折り曲げ線１１６ｂに沿って折り重ねる。その場合、その折り曲げの前後いずれかに台形の片１２６を矢印ｆのように本体１２上に折り曲げ、しかもまた、その片１２６の先端部分１２６０を折り曲げ線１１６ｃに沿って矢印ｒのように反対方向に折り曲げる。この先端部分１２６０を含む片１２６は、ポケット１００の口部分を構成する。
【００２３】
シート部分１２４を片１２２上に折り重ねるとき、折り曲げ小片１２２０を含む片１２２の先端は、折りによる弾性変形に伴う弾性作用力をシート部分１２４側に加える。その結果、斜めの細長い孔１１２ｂがある本体１２、その両側の片１２２、および別の細長い孔１１２ｃのあるシート部分１２４によって、ポケット１００が区画される。そのポケットに機能性材料入りの第１の袋体２１０を収納する。片１２６の先端部分１２６０は、弾性作用力を生じることから、収納した第１の袋体２１０の上面と、シート部分１２４との間に隙間を作るように機能する。その隙間は、機能性材料から出る気化成分の通り道となり、気化成分を外部に有効に拡散させることができる。上下の細長い孔１１２ｂ，１１２ｃは、ポケット１００の中から外側への気化成分の出口である。これらの各孔１１２ｂ，１１２ｃは、ポケット１００の中に、機能性材料入りの第１の袋体２１０が収納されているか否かを目視でチェックするためにも活用することができる。
【符号の説明】
【００２４】
１０  支持体
１００  ポケット（第１の袋体を入れる空間領域）
１１３  折り曲げ線
１１４ａ，１１４ｂ  切り込み線
１１４ｃ  折り曲げ部（折り曲げ線）
１１６ａ，１１６ｂ，１１６ｃ  折り曲げ線
１２２  片
１２２０  折り曲げ小片
１２４  シート部分
１２６  台形の片
２１０  第１の袋体
２２０  第２の袋体
【図１】
0003207925.tif 000003
【図２】
0003207925.tif 000004
【図３】
0003207925.tif 000005